(57)【特許請求の範囲】
【請求項１】
受信画像をメモリに蓄積する蓄積手段と、前記メモリに蓄積された受信画像の副走査ライン数を検出する手段と、前記受信画像を記録する記録紙として、同一主走査長で副走査ライン数の異なる複数種類の記録紙を備えたファクシミリ装置において、
前記複数種類の記録紙の各副走査ライン数に定数ａ（ａは０以上の整数）を加算する手段と、
前記定数ａを加算した各々の記録紙副走査ライン数に定数ｂ（ｂは正数）を乗算する乗算手段と、
前記各々の記録紙副走査ライン数に前記定数ａを加算した後前記定数ｂを乗算して得られた値を受信画像の副走査ライン数で除算する除算手段と、
前記除算した結果が前記定数ｂより大きい場合には、前記除算結果を前記定数ｂとする判定手段と、
各記録紙に対して前記除算と、前記判定処理を行った結果のうち、最も除算結果の大きい値に対応する記録紙を選択し、または、最も大きい値が複数存在する場合には、最も小さいサイズの記録紙を選択する手段とを備えたことを特徴とするファクシミリ装置における記録紙選択装置。
【請求項２】
受信画像をメモリに蓄積し、前記メモリに蓄積された受信画像の副走査ライン数を検出し、前記受信画像を記録する記録紙として、同一主走査長で副走査ライン数の異なる複数種類の記録紙を備えたファクシミリ装置において、
前記複数種類の記録紙の各副走査ライン数に定数ａ（ａは０以上の整数）を加算し、
前記定数ａを加算した各々の記録紙副走査ライン数に定数ｂ（ｂは正数）を乗算し、
前記各々の記録紙副走査ライン数に前記定数ａを加算した後前記定数ｂを乗算して得られた値を受信画像の副走査ライン数で除算し、
前記除算した結果が前記定数ｂより大きい場合には、前記除算結果を前記定数ｂとし、
各記録紙に対して前記除算と、前記判定処理を行った結果のうち、最も除算結果の大きい値に対応する記録紙を選択し、または、最も大きい値が複数存在する場合には、最も小さいサイズの記録紙を選択することを特徴とするファクシミリ装置における記録紙選択方法。
【発明の詳細な説明】
【０００１】
【発明の属する技術分野】
本発明は、受信画像を記録するために同一主走査長で副走査数の異なる複数種類の記録紙を備えたファクシミリ装置における記録紙選択装置及び方法に関する。
【０００２】
【従来の技術】
受信画像を記録するために同一主走査長で副走査数の異なる複数種類の記録紙を備えたファクシミリ装置として、例えば、特開平８−１０７４７１号公報に記載のファクシミリ装置が存在する。このファクシミリ装置は、図３に示すように、読取部１と、記録部２と、操作部３と、ＮＣＵ４と、モデム５と、システム制御部６とを備える。
【０００３】
このファクシミリ装置は、より具体的には、受信画像をメモリに蓄積する蓄積手段と、前記メモリに蓄積された受信画像の副走査ライン数を検出する検出手段と、前記受信画像を記録する記録紙として、同一主走査長で副走査ライン数の異なる複数種類の記録紙とを備え、前記複数種類の記録紙の各副走査ライン数を、前記検出された受信画像の副走査ライン数で除算する除算手段と、該除算された結果の商から値１を減算する減算手段と、該減算された値の絶対値を求める絶対値化手段と、該求められた絶対値の各記録紙のうち、最も小さい値の記録紙を選択する選択手段とを備えている。
【０００４】
または、上記ファクシミリ装置は、受信画像をメモリに蓄積する蓄積手段と、前記メモリに蓄積された受信画像の副走査ライン数を検出する検出手段と、前記受信画像を記録する記録紙として、同一主走査長で副走査ライン数の異なる複数種類の記録紙とを備え、前記複数種類の記録紙の各副走査ライン数を、前記検出された受信画像の副走査ライン数で減算する減算手段と、該減算された値の絶対値を求める絶対値化手段と、該求められた絶対値の各記録紙のうち、最も小さい値の記録紙を選択する選択手段とを備えている。
【０００５】
次に、上記構成を有するファクシミリ装置の動作を図４を参照しながら説明する。
【０００６】
まず、システム制御部６は、受信画像を画像メモリ７に１ページ分蓄積し（ステップｓ３０１）、読取部１により受信画像の副走査ライン数Ｌ０を検出する（ステップｓ３０２）。検出されたＬ０でリーガルサイズの記録紙（以下「ＬＧＬ記録紙」と称する）の副走査ライン数の割り算を行ない、その商を変数Ｍ０としてＲＡＭ８に記憶する（ステップｓ３０３）。
【０００７】
同様に、Ｌ０でレターサイズの記録紙（以下「ＬＴＲ記録紙」と称する）の副走査ライン数の割り算を行ない、その商を変数Ｍ１としてＲＡＭ８に記憶する（ステップｓ３０４）。そして、Ｍ０−１の絶対値を演算して変数Ｍ０に代入し、Ｍ１−１の絶対値を演算して変数Ｍ１に代入する（ステップｓ３０５）。次に、変数Ｍ０、Ｍ１を比較し（ステップｓ３０６）、Ｍ０＞Ｍ１が真であるならばＬＴＲ記録紙にプリントを行なう（ステップｓ３０７）。一方、Ｍ０＞Ｍ１が偽であるならばＬＧＬ記録紙にプリントを行なう（ステップｓ３０８）。
【０００８】
【発明が解決しようとする課題】
しかし、上記従来の技術では、ＬＧＬ記録紙、ＬＴＲ記録紙等定型紙の場合は各々等倍に適切な記録紙に記録されるが、副走査ライン数がＬＴＲ記録紙より多く、ＬＴＲ記録紙とＬＧＬ記録紙との中間のライン数の場合には、ＬＧＬ記録紙に出力するかＬＴＲ記録紙にするかの境界点が両方の記録紙の中点に位置しているため、出力する記録紙サイズはＬＴＲ記録紙となり、画像データが縮小記録されてしまうという問題があった。
【０００９】
具体例を示すと、ＬＧＬ記録紙が２７３８ライン、ＬＴＲ記録紙が２１５１ライン（１ラインを１／７．７ｍｍ時の各記録紙のライン数）の副走査ライン数を有し、受信画像の副走査長が２４４４ラインの場合には、まず、２７３８ラインを２４４４ラインで除し、その商を１．１２０２９（Ｍ０）とする。一方、２１５１ラインを２４４４ラインで除し、その商を０．８８０１１（Ｍ１）とする。
【００１０】
次に、Ｍ０から１減算し、その絶対値を取ってＭ０を０．１２０２９とし、同様にＭ１から１減算し、その絶対値を取ってＭ１を０．１１９８９とする。この場合Ｍ０＞Ｍ１が真であるので、ＬＴＲ記録紙を選択する。
【００１１】
しかし、この場合、ＬＴＲ記録紙に等倍で記録を行うと２３６ライン分の画像が欠損し、画像の欠損を回避するには縮小記録を行わなければならない。
【００１２】
また、受信画像の副走査長が２４４５ラインの場合には、上記演算を実施するとＭ０は０．１１９８、Ｍ１は０．１２０２となりＬＧＬ記録紙に記録される。
【００１３】
すなわち、上記具体例より、従来技術においては記録する受信画像が不定型サイズの場合は、画像データの縮小処理もしくは切捨て処理を実行しなければならない場合が発生し、出力した画像データの視認性を損なう場合が発生する。
【００１４】
そこで、本発明は、上記従来の技術における問題点に鑑みてなされたものであって、記録するサイズが定型サイズ、不定型サイズに関わらず、等倍出力を前提として、縮小を極力行わず、最適なサイズの記録紙を選択でき、出力した画像データの視認性を向上させたファクシミリ装置における記録紙選択装置及び方法を提供することを目的とする。
【００１５】
【課題を解決するための手段】
上記目的を達成するため、請求項１記載の発明は、受信画像をメモリに蓄積する蓄積手段と、前記メモリに蓄積された受信画像の副走査ライン数を検出する手段と、前記受信画像を記録する記録紙として、同一主走査長で副走査ライン数の異なる複数種類の記録紙を備えたファクシミリ装置における記録紙選択装置であって、前記複数種類の記録紙の各副走査ライン数に定数ａ（ａは０以上の整数）を加算する手段と、前記定数ａを加算した各々の記録紙副走査ライン数に定数ｂ（ｂは正数）を乗算する乗算手段と、前記各々の記録紙副走査ライン数に前記定数ａを加算した後前記定数ｂを乗算して得られた値を受信画像の副走査ライン数で除算する除算手段と、前記除算した結果が前記定数ｂより大きい場合には、前記除算結果を前記定数ｂとする判定手段と、各記録紙に対して前記除算と、前記判定処理を行った結果のうち、最も除算結果の大きい値に対応する記録紙を選択し、または、最も大きい値が複数存在する場合には、最も小さいサイズの記録紙を選択する手段とを備えたことを特徴とする。
【００１７】
請求項２記載の発明は、受信画像をメモリに蓄積し、前記メモリに蓄積された受信画像の副走査ライン数を検出し、前記受信画像を記録する記録紙として、同一主走査長で副走査ライン数の異なる複数種類の記録紙を備えたファクシミリ装置における記録紙選択方法であって、前記複数種類の記録紙の各副走査ライン数に定数ａ（ａは０以上の整数）を加算し、前記定数ａを加算した各々の記録紙副走査ライン数に定数ｂ（ｂは正数）を乗算し、前記各々の記録紙副走査ライン数に前記定数ａを加算した後前記定数ｂを乗算して得られた値を受信画像の副走査ライン数で除算し、前記除算した結果が前記定数ｂより大きい場合には、前記除算結果を前記定数ｂとし、各記録紙に対して前記除算と、前記判定処理を行った結果のうち、最も除算結果の大きい値に対応する記録紙を選択し、または、最も大きい値が複数存在する場合には、最も小さいサイズの記録紙を選択することを特徴とする。
【００１９】
ここで、上記各請求項において、前記定数ａとは、記録紙の副走査ライン数に加算することで、仮想的に記録紙の副走査サイズを長くし、受信画像の読み取りのばらつきによる読取長さの誤差を吸収し、記録紙より若干長いサイズの受信画像を受けても記録紙と同様の長さと判断させることができるものである。従って、定数ａは通常３０程度の値とする。
【００２０】
また、請求項１及び請求項２における定数ｂとは、記録紙の副走査ライン数に乗ずることにより、記録紙サイズと受信画像の比率を算出することができる。従って、通常は百分率を採用することが多いため、定数ｂを１００とする。尚、請求項２及び請求項４においては、請求項１及び請求項３における定数ｂを１とした場合に相当する。
【００２１】
そして、本発明によれば、上記構成としたことにより、記録するサイズが定型サイズ、不定型サイズに関わらず、等倍出力を前提として、縮小を極力行わず、最適なサイズの記録紙を選択することができる。
【００２２】
【発明の実施の形態】
次に、本発明にかかるファクシミリ装置における記録紙選択装置及び方法の実施の形態の具体例を図面を参照しながら説明する。
【００２３】
本発明が適用されるファクシミリ装置の電気的構成は、上述の図３に示した構成と略々同様であって、読取部１と、記録部２と、操作部３と、ＮＣＵ４と、モデム５と、システム制御部６とで構成される。
【００２４】
システム制御部６は、本発明のためのプログラムが格納された読み出し専用のＲＯＭ９と、受信画像を蓄積する画像メモリ７と、プログラムによる演算結果を記憶する書込み可能なＲＡＭ８と、装置を制御するＣＰＵ１０で構成される。
【００２５】
また、装置本体には、図示しない複数種類の記録紙の収納部（以後「カセット」と称する）が装着され、記録紙の選択処理ルーチンにより、カセットに収納された複数のサイズの記録紙から所望のサイズの記録紙が適宜選択されると、選択された記録紙に受信原稿が記録される。すなわち、本実施例にかかるファクシミリ装置では、受信原稿の主走査長や副走査長に応じて縮小率／分割数を算出し、所望のサイズの記録紙に受信原稿を記録する。
【００２６】
図１は、本発明にかかる記録紙選択方法の処理ルーチンを示すフローチャートである。尚、本実施例では、カセットにＬＧＬ記録紙とＬＴＲ記録紙が装着されているものとする。
【００２７】
以下、本実施例では、定数ａの値を３２、定数ｂの値を１００として以下計算するが、定数ａ及び定数ｂは、これら以外の値とすることも可能であり、定数ａの値を０、定数ｂの値を１とすることも可能である。
【００２８】
まず、システム制御部６は、受信画像を画像メモリ７に１ページ分蓄積する（ステップｓ１０１）。その際、システム制御部６は蓄積する副走査ライン数を計数し、副走査ライン数Ｌ０を検出し、ＲＡＭ８に記憶する（ステップｓ１０２）。
【００２９】
次に、システム制御部６は、ＬＧＬ記録紙の副走査ライン数に３２を加算してＬ１を算出してＲＡＭ８に記憶し（ステップｓ１０３）、ＲＡＭ８に記憶したＬ１に１００を乗算し、Ｌ２を算出してＲＡＭ８に記憶し（ステップｓ１０４）、ＲＡＭ８に記憶されたＬ０によってＬ２の除算を行い、その商をｃ１としてＲＡＭ８に記憶しする（ステップｓ１０５）。
【００３０】
次に、システム制御部６はｃ１と１００とを比較し（ステップｓ１０６）、ｃ１＞１００が真であれば、ｃ１を１００に置き換え（ステップｓ１０７）、結果をａ１としてＲＡＭ８に記憶する。一方、ｃ１＞１００が偽であれば、ｃ１の値をａ１としてＲＡＭ８に記憶する（ステップｓ１０８）。
【００３１】
また、システム制御部６は、引き続きＬＴＲ記録紙の副走査ライン数に３２を加算し、Ｌ３を算出してＲＡＭ８に記憶し（ステップｓ１０９）、ＲＡＭ８に記憶したＬ３に１００を乗算し、Ｌ４を算出してＲＡＭ８に記憶し（ステップｓ１１０）、ＲＡＭ８に記憶されたＬ０によってＬ４の除算を行い、その商をｃ２としてＲＡＭ８に記憶する（ステップｓ１１１）。
【００３２】
次に、システム制御部６は、ｃ２と１００を比較し（ステップｓ１１２）、ｃ２＞１００が真であれば、ｃ２を１００に置き換え（ステップｓ１１３）、結果をａ２としてＲＡＭ８に記憶する。一方、ｃ２＞１００が偽であれば、ｃ２の値をａ２としてＲＡＭ８に記憶する（ステップｓ１１４）。
【００３３】
そして、システム制御部６は、ａ１とａ２とを比較し（ステップｓ１１５）、ａ１＞ａ２が真であれば、ＬＧＬ記録紙に記録部２を用いて記録を行う（ステップｓ１１７）。一方、ａ１＞ａ２が偽であれば、ＬＴＲ記録紙に記録部２を用いて記録を行う（ステップｓ１１８）。
【００３４】
上記計算の具体例として、従来技術で示した内容と比較すると、ＬＧＬ記録紙の副走査長を２７３８ライン、ＬＴＲ記録紙の副走査長を２１５１ラインとし、受信画像の副走査長が２４４４ラインの場合には、本実施例では、定数ａを３２、定数ｂを１００とした場合、まず、２７３８ラインに定数ａを加算し定数ｂを乗じて２７７０００（Ｌ１）とし、Ｌ１を２４４４ラインでわり算し、その商を１１３．３３９（ｃ１）とする。次にｃ１＞１００（定数）であるのでｃ１を１００と置き換えてａ１とする。
【００３５】
次に、２１５１ラインに定数ａを加算し、定数ｂを乗じ、２１８３００（Ｌ２）とし、Ｌ２を２４４４ラインでわり算し、その商を８９．３２１（ｃ２）とする。すると、ｃ２＜１００であるので、ｃ２の置き換えを行わずａ２とする。
【００３６】
すると、ａ１＞ａ２が真であるのでＬＧＬ記録紙に等倍で記録される（従来技術では、切捨てもしくは縮小が発生する）。
【００３７】
また、受信画像の副走査長が２４４５ラインの場合は上記演算を実施すると、ａ１は１００、ａ２は８９．２８４となりＬＧＬ記録紙に記録される。
【００３８】
次に、図２を参照しながら、本発明にかかるファクシミリ装置における記録紙選択方法の第２実施例について説明する。尚、本実施例においても、カセットにＬＧＬ記録紙とＬＴＲ記録紙が装着されているものとする。
【００３９】
まず、システム制御部６は、受信画像を画像メモリ７に１ページ分蓄積する（ステップｓ２０１）。その際、システム制御部６は、蓄積する副走査ライン数を計数し、副走査ライン数Ｌ０を検出してＲＡＭ８に記憶する（ステップｓ２０２）。
【００４０】
次に、システム制御部６は、ＬＧＬ記録紙の副走査ライン数に３２を加算し、Ｌ１を算出してＲＡＭ８に記憶し（ステップｓ２０３）、ＲＡＭ８に記憶されたＬ０によって減算を行い、その結果をａ１としてＲＡＭ８に記憶する（ステップｓ２０４）。
【００４１】
また、システム制御部６は、引き続きＬＴＲ記録紙の副走査ライン数に３２を加算し、Ｌ２を算出してＲＡＭ８に記憶し（ステップｓ２０５）、ＲＡＭ８に記憶されたＬ０によって減算を行い、その商をａ２としてＲＡＭ８に記憶する（ステップｓ２０６）。
【００４２】
そして、システム制御部６は、ａ１とａ２を比較し（ステップｓ２０７）、ａ１＞ａ２でかつ、ａ２≧０が真である場合には、ＬＴＲ記録紙に記録部２を用いて記録を行う（ステップｓ２０８）。一方、ａ１＞ａ２が偽であれば、ＬＧＬ記録紙に記録部２を用いて記録を行う（ステップｓ２０９）。
【００４３】
上記計算の具体例として、本実施例では、ａ１は、２７７０ラインを２４４４ラインで減算して３２６となり、ａ２は、２１８３ラインを２４４４ラインで減算して−２６１となる。
【００４４】
すると、この場合、ａ１＞ａ２であるが、ａ２≧０でないのでＬＧＬ記録紙に記録される。
【００４５】
また、受信画像の副走査長が２４４５ラインの場合は上記演算を実施するとａ１は３２５、ａ２は−２６２となりＬＧＬ記録紙に記録される。
【００４６】
【発明の効果】
以上説明したように、本発明によれば、記録するサイズが定型サイズ、不定型サイズに関わらず、等倍出力を前提として、縮小を極力行わず、最適なサイズの記録紙を選択できるため、出力した画像データの視認性を向上させることが可能なファクシミリ装置における記録紙選択装置及び方法を提供することができる。
【図面の簡単な説明】
【図１】本発明にかかるファクシミリ装置における記録紙選択方法の第１実施例の処理ルーチンを示すフローチャートである。
【図２】本発明にかかるファクシミリ装置における記録紙選択方法の第２実施例の処理ルーチンを示すフローチャートである。
【図３】本発明及び従来のファクシミリ装置の電気的構成を示すブロック図である。
【図４】従来技術の処理ルーチンの一例を示すフローチャートである。
【符号の説明】
１     読取部
２     記録部
３     操作部
４     ＮＣＵ
５     モデム
６     システム制御部
７     画像メモリ
８     書込可能ＲＡＭ
９     読出専用ＲＯＭ
１０   ＣＰＵ
【図１】
0003636951.tif 000002
【図２】
0003636951.tif 000003
【図３】
0003636951.tif 000004
【図４】
0003636951.tif 000005